(57)【要約】【課題】ビーコンを、データを有するフレームより優先的に伝送することができるビーコン伝送方法に関する発明が開示されている。【解決手段】前記ビーコン伝送方法は、チャンネルの状態を感知する段階、ＴＩＭ（ｔｒａｆｆｉｃ  ｉｎｄｉｃａｔｉｏｎ  ｍａｐ）とビーコンインターバル（ｂｅａｃｏｎ  ｉｎｔｅｒｖａｌ）情報を有するビーコンを生成する段階、及びチャンネル状態感知からＰＩＦＳ（ＰＣＦ  ＩＦＳ）経過前に前記生成されたビーコンを提供する段階を含む。前記ビーコンがＰＩＦＳ経過前に伝送されるので、データを有するフレームより優先的に伝送されることができる。【選択図】図２
2005065290.tif 000002
【特許請求の範囲】
【請求項１】
チャンネルの状態を感知する段階と、
ＴＩＭとビーコンインターバル情報を有するビーコンを生成する段階と、
チャンネルの状態感知からＰＩＦＳ経過前に前記生成されたビーコンを提供する段階と、を含むことを特徴とするビーコン伝送方法。
【請求項２】
前記提供する段階は、
前記チャンネルが空いている場合に前記ビーコンを提供することを特徴とする請求項１記載のビーコン伝送方法。
【請求項３】
前記ＴＩＭは、伝送するデータに対する情報であるデータ伝送情報を有していることを特徴とする請求項１記載のビーコン伝送方法。
【請求項４】
チャンネルの状態を感知する段階と、
ＴＩＭとビーコンインターバル情報を有するビーコンを生成する段階と、
前記チャンネルの状態感知からＳＩＦＳ、ＰＩＦＳ、及びＤＩＦＳを感知する段階と、
前記生成されたビーコンを、前記チャンネルの状態感知後、前記ＰＩＦＳ経過前に提供する段階と、
前記チャンネルの感知から前記ＤＩＦＳの経過後にデータを有するプレームを送受信する段階と、を含むことを特徴とするビーコン伝送を用いたフレーム送受信方法。
【請求項５】
承認フレームを前記チャンネルの状態感知から前記ＳＩＦＳ経過後に提供する段階を更に含むことを特徴とする請求項４記載のビーコン伝送を用いたフレーム送受信方法。
【請求項６】
前記フレームを送受信する段階は、
第１データを有する第１フレームを送信する段階と、
第２データを有する第２フレームを受信する段階と、を含むことを特徴とする請求項４記載のビーコン伝送を用いたフレーム送受信方法。
【請求項７】
前記ビーコンは、前記チャンネルが空いている場合に提供されることを特徴とする請求項４記載のビーコン伝送を用いたフレーム送受信方法。
【請求項８】
前記ＴＩＭは、伝送するデータに対する情報であるデータ伝送情報を有していることを特徴とする請求項４記載のビーコン伝送を用いたフレーム送受信方法。
【請求項９】
チャンネルの状態を感知するチャンネル状態感知部と、
ＴＩＭとビーコンインターバル情報を有するビーコンを生成し、前記生成されたビーコンを前記チャンネルの状態感知からＰＩＦＳ経過前に提供するビーコン部と、を含むことを特徴とするビーコン伝送装置。
【請求項１０】
前記チャンネルが空いている場合に前記ビーコンが提供されることを特徴とする請求項９記載のビーコン伝送装置。
【請求項１１】
前記ＴＩＭは、伝送するデータに対する情報であるデータ伝送情報を有していることを特徴とする請求項９記載のビーコン伝送装置。
【請求項１２】
チャンネル状態を感知するチャンネル状態感知部と、
ＴＩＭとビーコンインターバル情報を有するビーコンを生成し、前記生成されたビーコンを前記チャンネルの状態感知からＰＩＦＳ経過前に提供するビーコン部と、
前記チャンネル状態感知からの経過時間を感知するタイマーと、
前記経過時間に相応してデータを有するフレームを送受信するフレーム部と、を含むことを特徴とするビーコン伝送を用いた送受信装置。
【請求項１３】
前記タイマーは、
ＳＩＦＳを感知する第１タイマーと、
ＰＩＦＳを感知する第２タイマーと、
前記ＤＩＦＳを感知する第３タイマーと、
バックオフタイムを感知する第４タイマーと、を含むことを特徴とする請求項１２記載のビーコン伝送を用いたフレーム送受信装置。
【請求項１４】
前記ビーコン部は、
前記ＴＩＭと前記ビーコンインターバル情報を有する前記ビーコンを生成するビーコン生成部と、
前記生成されたビーコンを提供するビーコン伝送部と、を含むことを特徴とする請求項１２記載のビーコン伝送を用いたフレーム送受信装置。
【請求項１５】
前記フレーム部は、
第１データを有する第１フレームを送信するフレーム送信部と、
第２データを有する第２フレームを受信するフレーム受信部と、
応答フレームを提供する応答信号発生部と、を含むことを特徴とする請求項１２記載のビーコン伝送を用いたフレーム送受信装置。
【請求項１６】
前記応答フレームは、承認フレームであることを特徴とする請求項１５記載のビーコン伝送を用いたフレーム送受信装置。
【請求項１７】
前記チャンネルが空いている場合、前記ビーコン部は前記ビーコンを提供することを特徴とする請求項１２記載のビーコン伝送を用いたフレーム送受信装置。
【請求項１８】
前記ビーコン部は、前記ビーコンを前記チャンネル状態感知からＰＩＦＳ経過前に提供することを特徴とする請求項１２記載のビーコン伝送を用いたフレーム送受信装置。
【請求項１９】
前記フレーム部は、前記フレームを前記チャンネル状態感知からＤＩＦＳ後に提供することを特徴とする請求項１２記載のビーコン伝送を用いたフレーム送受信装置。
【請求項２０】
前記ＴＩＭは、伝送するデータに対する情報であるデータ伝送情報を有していることを特徴とする請求項１２記載のビーコン伝送を用いたフレーム送受信装置。
【発明の詳細な説明】
【技術分野】
【０００１】
本発明は、ビーコン伝送方法及びこれを行うための装置、ビーコン伝送を用いたフレーム送受信方法並びにこれを行うための装置に関し、より詳細には、パワーを節約することができるビーコン伝送方法及びこれを行うための装置、ビーコン伝送を用いたフレーム送受信方法並びにこれを行うための装置に関するものである。
【背景技術】
【０００２】
無線ＬＡＮシステムにおいて、アクセスポイントはＴＩＭ及びビーコンインターバルに対する情報を有するビーコンを生成し、前記生成されたビーコンを各ステーションにそれぞれ提供する。前記アクセスポイントはビーコン伝送装置又はフレーム送受信装置の一例であり、前記ステーションは前記フレーム送受信装置の一例である。無線ＬＡＮシステムは、ＣＳＭＡ／ＣＡ（ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ａｖｏｉｄａｎｃｅ）モード方式を用いる。前記ＣＳＭＡ／ＣＡモード方式は競争モード方式である。従って、前記ビーコンがデータを有するフレームより優先順位を有していない。即ち、前記ビーコンが前記フレームより優先順位を有していないので、前記ビーコンが前記フレームより遅く伝送される場合もある。その結果、パワーセイブモードを有するステーションは、長時間ウェイクされている。従って、パワーセイブモードを有する前記ステーションのパワーが浪費される。特に、ノートパソコン、ＰＤＡ等ではバッテリーの寿命が重要なので、パワーの浪費は多くの問題点を発生させる。従って、パワーを節約することができるビーコン伝送装置及びフレーム送受信装置が要求される。
【発明の開示】
【発明が解決しようとする課題】
【０００３】
本発明は、前記した従来技術の問題点を解決するためのものであって、ビーコンを、データを有するフレームより優先的に伝送することができるビーコン伝送方法及びこれを行うための装置を提供することを目的とする。
【０００４】
本発明の他の目的は、パワーを節約することができるビーコン伝送を用いたフレーム送受信方法及びこれを行うためのフレーム送受信装置を提供することにある。
【課題を解決するための手段】
【０００５】
前記した目的を達成するために、本発明の好ましい一実施例によるビーコン伝送方法は、チャンネルの状態を感知する段階と、ＴＩＭ（Ｔｒａｆｆｉｃ  ｉｎｄｉｃａｔｉｏｎ  ｍａｐ）とビーコンインターバル（ｂｅａｃｏｎ  ｉｎｔｅｒｖａｌ）情報を有するビーコンを生成する段階と、チャンネルの状態感知からＰＩＦＳ（ＰＣＦ  ＩＦＳ）経過前に前記生成されたビーコンを提供する段階と、を含む。前記提供する段階は、前記チャンネルが空いている場合に前記ビーコンを提供する。前記ＴＩＭは、伝送するデータに対する情報であるデータ伝送情報を有している。
【０００６】
本発明の一実施例によるビーコン伝送を用いたフレーム送受信方法は、チャンネルの状態を感知する段階と、ＴＩＭとビーコンインターバル情報を有するビーコンを生成する段階と、前記チャンネルの状態感知からＳＩＦＳ（Ｓｈｏｒｔ  ＩＦＳ）、ＰＩＦＳ（ＰＣＦ  ＩＦＳ）、及びＤＩＦＳ（ＤＣＦ  ＩＦＳ）を感知する段階と、  前記生成されたビーコンを、前記チャンネルの状態感知後、前記ＰＩＦＳ（ＰＣＦ  ＩＦＳ）経過前に提供する段階と、前記チャンネルの感知から前記ＤＩＦＳの経過後にデータを有するプレームを送受信する段階と、を含む。又、承認フレーム（ＡＣＫ  ｆｒａｍｅ）を前記チャンネルの状態感知から前記ＳＩＦＳ経過後に提供する段階を更に含む。前記フレームを送受信する段階は、第１データを有する第１フレームを送信する段階と、第２データを有する第２フレームを受信する段階と、を含む。前記ビーコンは、前記チャンネルが空いている場合に提供される。前記ＴＩＭは、伝送するデータに対する情報であるデータ伝送情報を有している。
【０００７】
本発明の一実施例によるビーコン伝送装置は、チャンネルの状態を感知するチャンネル状態感知部と、ＴＩＭとビーコンインターバル情報を有するビーコンを生成し、前記生成されたビーコンを前記チャンネルの状態感知からＰＩＦＳ経過前に提供するビーコン部と、を含む。前記チャンネルが空いている場合に前記ビーコンが提供される。前記ビーコン部は、前記ビーコンを前記チャンネルの状態感知からＰＩＦＳ経過前に提供する。前記ＴＩＭは、伝送するデータに対する情報であるデータ伝送情報を有している。
【０００８】
本発明の一実施例によるビーコン伝送を用いたフレーム送受信装置は、チャンネル状態を感知するチャンネル状態感知部と、ＴＩＭとビーコンインターバル情報を有するビーコンを生成し、前記生成されたビーコンを前記チャンネルの状態感知からＰＩＦＳ経過前に提供するビーコン部と、前記チャンネル状態感知から経過時間を感知するタイマーと、前記経過時間に相応してデータを有するフレームを送受信するフレーム部と、を含む。前記タイマーは、ＳＩＦＳを感知する第１タイマーと、ＰＩＦＳを感知する第２タイマーと、  前記ＤＩＦＳを感知する第３タイマーと、バックオフタイム（ｂａｃｋｏｆｆ  ｔｉｍｅ）を感知する第４タイマーと、を含む。前記ビーコン部は、前記ＴＩＭと前記ビーコンインターバル情報を有する前記ビーコンを生成するビーコン生成部と、前記生成されたビーコンを提供するビーコン伝送部と、を含む。前記フレーム部は、第１データを有する第１フレームを送信するフレーム送信部と、第２データを有する第２フレームを受信するフレーム受信部と、応答フレームを提供する応答信号発生部と、を含む。前記応答フレームは、承認（ＡＣＫ）フレームである。前記チャンネルが空いている場合、前記ビーコン部は前記ビーコンを提供する。前記ビーコン部は、前記ビーコンを前記チャンネル状態感知からＰＩＦＳ経過前に提供する。前記フレーム部は、前記フレームを前記チャンネル状態感知からＤＩＦＳ後に提供する。前記ＴＩＭは、伝送するデータに対する情報であるデータ伝送情報を有している。
【発明を実施するための最良の形態】
【０００９】
以下では、添付の図面を参照して、本発明によるビーコン伝送方法及びこれを行うためのビーコン伝送装置、ビーコン伝送を用いたフレーム送受信方法並びにこれを行うためのフレーム送受信装置の好ましい実施例を詳細に説明する。
【００１０】
図１は、無線ＬＡＮシステムを図示した図である。
【００１１】
図１に示すように、前記無線ＬＡＮシステムは、アクセルポイント（ａｃｃｅｓｓ  ｐｏｉｎｔ）及び複数のステーション（ｓｔａｔｉｏｎｓ）を含む。前記無線ＬＡＮシステムは、ＩＥＥＥ８０２.１１により標準化されている。前記アクセスポイントは、前記ステーションの端末機と有線ＬＡＮを連結させる。具体的に、前記アクセスポイントは、前記ステーションに第１データを有する第１フレームを送信し、第２データを有する第２フレームを前記ステーションから受信する。例えば、前記アクセスポイントは、第１ステーションからフレームを受信し、前記送信されたフレームを第２ステーションに送信する。即ち、前記ステーションは、相互間フレームを直接的に交換せず、前記アクセスポイントを用いて前記フレームを交換する。本発明のフレーム送受信装置は、前記アクセスポイント又は前記ステーションである。
【００１２】
ＩＥＥＥ８０２.１１によると、媒体接近制御（ｍｅｄｉｕｍ  ａｃｃｅｓｓ  ｃｏｎｔｒｏｌ、以下、「ＭＡＣ」と称する）は、競争モード又は非競争モードを用いる。ＩＥＥＥ８０２.１１によると、前記競争モードは、ＣＳＭＡ／ＣＡ又はＤＣＦ（ｄｉｓｔｒｉｂｕｔｉｏｎ  ｃｏｏｒｄｉｎａｔｉｏｎ  ｆｕｎｃｔｉｏｎ）と言われ、前記非競争モードはＰＣＦ（Ｐｏｉｎｔ  ｃｏｏｒｄｉｎａｔｉｏｎ  ｆｕｎｃｔｉｏｎ）と言われる。以下、前記競争モードをＤＣＦとし、前記非競争モードをＰＣＦと仮定する。
【００１３】
前記無線ＬＡＮシステムは、前記フレームを送受信するために、非競争方式を用いる。
【００１４】
図２は、本発明の好ましい一実施例によるビーコン伝送を用いたフレーム送受信装置の構成を図示したブロック図である。
【００１５】
図２を参照すると、本発明のビーコン伝送を用いたフレーム送受信装置は、チャンネル状態感知部２０、ビーコン部４０、タイマー６０、及びフレーム部８０を含む。本発明の一実施例によるフレーム送受信装置は、無線ＬＡＮでの前記アクセスポイントである。
【００１６】
チャンネル状態感知部２０は、チャンネルの状態を感知する。詳細には、チャンネル状態感知部２０は、チャンネルを通じて前記フレームが伝送されているかの可否を感知する。本発明の一実施例による前記チャンネルは２.４ＧＨｚ周波数帯域を用いる。
【００１７】
ビーコン部４０は、ＴＩＭとビーコンインターバル情報を有するビーコンを生成し、前記生成されたビーコンを提供する。前記ビーコンは前記ビーコンインターバルを周期として提供される。
【００１８】
本発明のビーコン伝送方法及びこれを行うためのビーコン伝送装置、ビーコン伝送を用いたフレーム送受信方法並びにこれを行うためのフレーム送受信装置は、パワーセイブモード（ｐｏｗｅｒ  ｓａｖｅ  ｍｏｄｅ）で動作することができる。詳細には、本発明の一実施例による前記各ステーションは常にウェイクされているのではなく、一定の周期を有してウェイクされている。前記一定の周期は、前記ビーコンインターバルの定数倍である。そして、前記各ステーションは前記周期がそれぞれ異なることができる。即ち、前記各ステーションは、前記受信されたビーコンを用いて自分の周期をそれぞれ設定する。パワーセイブモードを有する前記各ステーションは常にウェイクされているのではないので、前記各ステーションは常にウェイクされているステーションよりパワーを節約することができる。パワーセイブモードを有する前記各ステーションはウェイクされた後、前記ビーコンを受信するまでウェイクされている。従って、前記ビーコンが受信されるまで所要される時間が減少された場合、前記ステーションのパワーが節約される。
【００１９】
前記ＴＩＭは、データ伝送情報を有している。例えば、本発明のフレーム送受信装置が前記第１ステーションに伝送するデータを有している場合、前記ビーコンを用いて前記第１ステーションに伝送するデータを有しているという前記データ伝送情報を提供する。前記データ伝送情報を受信すると、前記第１ステーションは前記フレーム送受信装置（例えば、アクセスポイント）に送信要請（ＰＳ−Ｐｏｌｌ）フレームを伝送する。前記送信要請フレームを受信すると、前記フレーム送受信装置は前記データを有する前記フレームを前記第１ステーションに伝送する。
【００２０】
従来のビーコン伝送装置及びビーコン伝送を用いたフレーム伝送装置は、前記ビーコンを、データを有する前記フレームと同じ競争を通じて提供した。従って、前記ビーコンが前記フレームより遅く提供される場合があった。しかし、本発明のビーコン伝送装置及びフレーム送受信装置は、前記ビーコンを前記フレームより常に速く提供する。その結果、パワーセイブモードを有する前記ステーションは、従来の技術よりパワーを節約することができる。これについての詳細な説明は、以下で添付の図面を参照して説明する。
【００２１】
タイマー６０は、ＳＩＦＳ、ＰＩＦＳ、ＤＩＦＳ、及びバックオフタイムを感知することができる。前記ＩＦＳは、フレームの間の間隔（ｉｎｔｅｒ−ｆｒａｍｅ  ｓｐａｃｅ）を意味する。これについての詳細な説明は、以下で添付の図面を参照して説明する。
【００２２】
フレーム部８０は、データを有する前記フレームを送受信する。
【００２３】
本発明のビーコン伝送装置及びビーコン伝送を用いたフレーム送受信装置は、前記ビーコンを前記フレームより常に速く提供するので、パワーセイブモードを有する前記ステーションのパワーが節約される。
【００２４】
図３は、本発明の好ましい一実施例によるタイマーの構成を図示したブロック図である。
【００２５】
図３を参照すると、タイマー６０は、第１タイマー１００、第２タイマー１２０、第３タイマー１４０、及び第４タイマー１６０を含む。
【００２６】
第１タイマー１００は、前記チャンネル状態の感知後、前記ＳＩＦＳ経過時間を感知する。
【００２７】
第２タイマー１２０は、前記チャンネル状態の感知後、前記ＰＩＦＳ経過時間を感知する。
【００２８】
第３タイマー１４０は、前記チャンネル状態の感知後、前記ＤＩＦＳ経過時間を感知する。
【００２９】
第４タイマー１６０は、前記バックオフタイムを感知する。
【００３０】
図４は、本発明の好ましい一実施例によるビーコン部の構成を図示したブロック図である。
【００３１】
図４を参照すると、ビーコン部４０はビーコン生成部２００及びビーコン伝送部２２０を含む。
【００３２】
ビーコン生成部２００は、前記ＴＩＭ及び前記ビーコンインターバルに対する情報を有する前記ビーコンを生成する。
【００３３】
ビーコン伝送部２２０は、前記生成されたビーコンを前記ステーションに送信する。
【００３４】
図５は、本発明の好ましい一実施例によるビーコンの構成を図示した図である。
【００３５】
図５に示すように、前記ビーコンは前記ＴＩＭ及び前記ビーコンインターバルに対する情報を有している。
【００３６】
図６は、本発明の好ましい一実施例によるフレーム部の構成を図示したブロック図である。
【００３７】
図６を参照すると、フレーム部８０は、フレーム送信部３００、フレーム受信部３２０、及び応答信号発生部３４０を含む。
【００３８】
フレーム送信部３００は、前記第１データを有する前記第１フレームを前記ステーションに送信する。
【００３９】
フレーム受信部３２０は、前記第２データを有する前記第２フレームを前記ステーションから受信する。
【００４０】
前記第１フレームは、前記第２フレームと同じフレームである可能性がある。
【００４１】
応答信号発生部３４０は、承認（ＡＣＫ）フレーム等を前記ステーションに伝送する。
【００４２】
図７は、本発明の好ましい一実施例によるフレーム伝送過程を図示した図である。
【００４３】
図６に示すように、本発明のビーコン伝送装置及びビーコン伝送を用いたフレーム送受信装置は、前記ＴＩＭと前記ビーコンインターバル情報を有する前記ビーコンを生成し、前記生成されたビーコンを前記ビーコンインターバルによって伝送する。前記ビーコンを伝送すべき時間は、ＴＢＴＴタイム（Ｔａｒｇｅｔ  Ｂｅａｃｏｎ  Ｔｒａｎｓｍｉｓｓｉｏｎ  Ｔｉｍｅ）である。第２ＴＢＴＴタイムの場合、前記第２ＴＢＴＴタイムに第１ステーションのフレームが提供されている。従って、前記生成されたビーコンが伝送されることができない。前記フレームの伝送が終了された後、本発明のビーコン伝送装置及びビーコン伝送を用いたフレーム送受信装置は、前記生成されたビーコンを前記ＰＩＦＳ経過前に提供する。そして、データを有する前記フレームは、前記ＤＩＦＳ経過後に提供される。即ち、前記ビーコンがデータを有する他のフレームより先に提供されるので、前記ビーコンはデータを有する前記フレームより常に優先順位を有する。第３ステーションは、前記第２ＴＢＴＴタイム直前にウェイクされた後、前記ビーコンを受信するまでウェイクされている。しかし、従来技術のビーコン伝送装置及びフレーム送受信装置では、前記ビーコンが前記フレームより優先順位を有していなく、その結果、パワーセイブモードを有する前記第３ステーションは、前記第２ステーションのデータフレームとの競争で負けた場合に、前記ビーコンを受信するまで長時間ウェイクされなければならなかった。従来の技術と比較する時、本発明のビーコン伝送装置及びビーコン伝送を用いたフレーム送受信装置は、前記ビーコンを常に前記フレームより先に提供することができるので、パワーセイブモードを有する前記第３ステーションは、従来技術より短くウェイクされている。その結果、前記第３ステーションは従来技術よりパワーを更にセイブすることができる。
【００４４】
図８は、本発明の好ましい一実施例によるビーコン伝送装置の流れを図示した順序図である。
【００４５】
図８を参照すると、前記ＴＩＭ及び前記ビーコンインターバルに対する情報を有する前記ビーコンが生成される（Ｓ５００）。前記生成されたビーコンがＰＩＦＳ経過前に伝送される（Ｓ５２０）。
【００４６】
図９は、本発明の好ましい一実施例によるフレーム送受信方法の全体的な過程を図示した順序図である。
【００４７】
図９を参照すると、前記ＴＩＭ及び前記ビーコンインターバルに対する情報を有する前記ビーコンが生成される（Ｓ６００）。前記生成されたビーコンが伝送される（Ｓ６２０）。パワーセイブモードを有するステーションがウェイクされているかの可否が判断される（Ｓ６４０）。前記ステーションがウェイクされていない場合、段階Ｓ６００が更に実行される。反面に、前記ステーションがウェイクされている場合、前記ステーションは前記伝送されたビーコンから受信するデータがあるかの可否を判断する（Ｓ６６０）。受信するデータがない場合、前記ステーションは眠る（Ｓ６８０）。反面に、受信するデータがある場合、前記ステーションは送信要請フレームを伝送する（Ｓ７００）。前記アクセスポイントは、前記送信要請フレームを受信した場合、データを有する前記フレームを前記ステーションに送信する（Ｓ７２０）。
【００４８】
以上で説明したように、本発明によるビーコン伝送方法及びこれを行うためのビーコン伝送装置は、ビーコンをＰＩＦＳ経過前に伝送するので、データを有するフレームより優先的に伝送することができる長所を有する。
【００４９】
ビーコン伝送を用いたフレーム送受信方法及びこれを行うためのフレーム送受信装置は、ビーコンがデータを有するフレームより優先的に伝送されるので、パワーを節約することができる長所がある。
【００５０】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００５１】
【図１】無線ＬＡＮシステムを図示した図である。
【図２】本発明の好ましい一実施例によるビーコン伝送を用いたフレーム送受信装置の構成を図示したブロック図である。
【図３】本発明の好ましい一実施例によるタイマーの構成を図示したブロック図である。
【図４】本発明の好ましい一実施例によるビーコン部の構成を図示したブロック図である。
【図５】本発明の好ましい一実施例によるビーコンの構成を図示した図である。
【図６】本発明の好ましい一実施例によるフレーム部の構成を図示したブロック図である。
【図７】本発明の好ましい一実施例によるフレーム伝送過程を図示した図である。
【図８】本発明の好ましい一実施例によるビーコン伝送装置の流れを図示した順序図である。
【図９】本発明の好ましい一実施例によるフレーム送受信方法の全体的な過程を図示した順序図である。
【符号の説明】
【００５２】
２０    チャンネル状態感知部
４０    ビーコン部
６０    タイマー
８０    フレーム部
１００    第１タイマー
１２０    第２タイマー
１４０    第３タイマー
１６０    第４タイマー
２００    ビーコン生成部
２２０    ビーコン伝送部
３００    フレーム送信部
３２０    フレーム受信部
３４０    応答信号発生部
【図１】
2005065290.tif 000003
【図２】
2005065290.tif 000004
【図３】
2005065290.tif 000005
【図４】
2005065290.tif 000006
【図５】
2005065290.tif 000007
【図６】
2005065290.tif 000008
【図７】
2005065290.tif 000009
【図８】
2005065290.tif 000010
【図９】
2005065290.tif 000011